(57)【特許請求の範囲】
【請求項１】
トイレ本体からなるペット用トイレであって、
前記トイレ本体は、その内部に設けられ複数の粒状物から構成される液通過性のトイレ砂を収納するトイレ砂収納容器と、
該トイレ砂収納容器の下方に配置され前記トイレ砂を通過した液体を吸収する吸液シートと、
該吸液シートを収納し、前方及び後方に取っ手を備える吸液シート収納トレーと、
前記トイレ本体の後方部における前記取っ手が当接する部分に設けられる開口部と、を備え、
該吸液シート収納トレーは、前記トイレ本体の前方から引き出されて取り外し可能であり、且つ前後の位置が入れ替え可能であるペット用トイレ。
【請求項２】
前記吸液シート収納トレーは、外側トレーと、該外側トレーの中に収められた内側トレーと、を備える請求項１記載のペット用トイレ。
【請求項３】
前記吸液シート収納トレーは、前記吸液シートを固定する固定手段を備える請求項１記載のペット用トイレ。
【請求項４】
前記固定手段は、前記吸液シート収納トレーの内底面に配置されるフック状物と、前記吸液シートの裏面に配置されるループ材とにより構成される請求項３記載のペット用トイレ。
【請求項５】
前記固定手段は、前記吸液シート収納トレーの内底面に設けられ前記吸液シートを押し込み可能な切り込みである請求項３記載のペット用トイレ。
【請求項６】
前記トイレ本体は、前記吸液シート収納トレーの押し入れを所定の位置に規制するストッパーを備える請求項１から５いずれか記載のペット用トイレ。
【請求項７】
前記トイレ本体は、さらに前記トイレ砂収納容器の上方に側面カバーを備え、該側面カバーには前方から上方に亘って形成された開口を有するものである請求項１から６いずれか記載のペット用トイレ。
【請求項８】
請求項１から７いずれか記載のペット用トイレを用いたペットの排泄物処理方法であって、前記吸液シート収納トレーの前後の位置を入れ替える手順を含むペットの排泄物処理方法。
【発明の詳細な説明】
【技術分野】
【０００１】
本発明は、室内で飼われる猫などのペットに使用するペット用トイレに関し、特に吸液シートを有効利用して、清潔かつ手軽に手入れができるペット用トイレに関する。
【背景技術】
【０００２】
室内で飼われている猫や犬などのペット用トイレとして、プラスチック製の容器に鉱物系のゼオライトあるいは川の砂、あるいは尿などを吸収すると固まるベントナイト、粉砕パルプ等を固めて粒状に成形したセルロース粒などのいわゆる猫砂と呼ばれる粒状物からなるトイレ砂が入れられたトイレが一般的に使用されている。猫などのペットは前記トイレ内に入り、前記トイレ砂の上から尿や便などを排泄する。飼い主は尿や便で汚れた部分のトイレ砂を便などと一緒にスコップ等ですくって容器内から取り除き、取り除いた分新しいトイレ砂を補充する。
【０００３】
しかし、猫などは排泄後にトイレ砂を足でかき混ぜるため、尿や便で汚れるトイレ砂の量が多くなり、さらに汚れたトイレ砂が拡散されてしまい、汚れた部分のみを完全に除去することはできない。
【０００４】
ところが、トイレ砂として使用されるゼオライトや川の砂などは尿を吸収するものではなく、またベントナイトやセルロース粒は尿をある程度吸収するが、完全に吸収することはできない。このため、尿はトイレ砂を通って容器の底面に溜まりやすい。この溜まった尿が蒸発するのに、長時間かかったり、尿の不純物が、トイレ砂に多く付着し、尿臭が漂い易い状態になるので、飼い主は、１週間又は２週間に１度の割合で容器内のトイレ砂をすべて捨て、容器を洗浄して乾かした後、この容器に新しいトイレ砂を入れてトイレを清潔に保つようにする必要がある。
【０００５】
また、トイレ砂を動物の排泄の度に捨てたり、また１、２週間に一度全て取り替えるため、ゴミとなるトイレ砂の量が非常に多い。トイレ砂として使用されるゼオライト等の鉱物系の砂は不燃性のものであるため、ゴミとして処理しにくい。
【０００６】
これを解消したものとして、例えば特許文献１や特許文献２のようなペット用トイレが開発されている。特許文献１のペット用トイレは、底部が筋状の水切りを形成した仕切り板となっている容器に粒状物を入れ、底部仕切り板の下には吸液シートを配置する引き出し式のトレーが設けられ、尿は粒状物を通り容器の底部を通過して吸液シートに吸収される構造としている。また、特許文献２のペット用トイレは、底部が液透過構造のシートとなっている容器に耐水性の粒状物を入れ、底部シートの下には支持体に支持された吸液シ−トが前記底部シートに密着して設けられ、尿は耐水性の粒状物を通り容器の底部を通過して吸液シートに吸収される構造としている。これによって、容器内に尿が残らないため、トイレの清掃は、吸液シートに抗菌剤や高吸収性樹脂を入れることで腐敗やニオイの発生を防ぎ一週間に一回位吸液シートを取り替えるだけであり、また１，２ヶ月に一度粒状物を全て取り替えればよく、手間が掛からずゴミの量を減らすことが出来ることを特徴とするものである。
【特許文献１】実用新案登録第３０８８４８４号公報
【特許文献２】特開平１０−２２９７６８号公報
【発明の開示】
【発明が解決しようとする課題】
【０００７】
しかしながら、猫等のペットはいつも決まった場所で排尿をするため、決まった一部分しか吸液シートが汚れないことになる。そのため、この吸液シートの前後の位置を入れ替えて、汚れていない部分をペットが排尿する場所にくるようにして使用されることがある（因みに、発明者らがこの種のペット用トイレを使用している対象者について調査したところ、入れ替えて使用するとの回答は３７％程度を占めた）。
【０００８】
このトレーに配置された吸液シートの前後の位置を入れ替えるには、吸液シートをトレーから取り出して、その前後を反転させて入れ替える必要があるが、吸液シートはすでに尿を吸収し湿っているので重量が重くなっており、しかも、剛性がなくなっているため、吸液シートの取り扱いが困難であり、トレーから吸液シートを取り出し、前後方向の向きを替えてトレーに再び配置するのに手間を要することになる。最悪の場合には、トレー中に捲れた状態で配置されてしまい、尿が漏れてしまうという不都合が起こることがある。また、吸液シートの取り扱い時に手が汚れて不衛生であるだけでなく、不快感を感じることになる。
【０００９】
本発明は、以上のような課題に鑑みてなされたものであり、その目的は前方から上方に亘る開口を有し、トイレ本体の内部に設けられ複数の粒状物から構成される液通過性のトイレ砂を収納するトイレ砂収納容器と、トイレ砂収納容器の下方に配置され前記トイレ砂を通過した液体を吸収する吸液シートと、吸液シートを収納する吸液シート収納トレーと、からなるペット用トイレにおいて、吸液シートをトレーから取り出すことなく、吸液シートの前後方向を入れ替え可能としたペット用トイレを提供することにある。
【課題を解決するための手段】
【００１０】
以上の様な目的を達成するために、本発明者らが鋭意研究を重ねた結果、トレーをトイレ本体の前方から引き出して取り外し可能とし、且つ前後の位置が入れ替え可能とすることにより、吸液シートをトレーから取り出すことなく前後を入れ替えることができることを見出し、本発明を完成するに至った。
【００１１】
より具体的には、本発明は、以下のようなものを提供する。
【００１２】
（１）  トイレ本体からなるペット用トイレであって、前記トイレ本体は、その内部に設けられ複数の粒状物から構成される液通過性のトイレ砂を収納するトイレ砂収納容器と、該トイレ砂収納容器の下方に配置され前記トイレ砂を通過した液体を吸収する吸液シートと、該吸液シートを収納する吸液シート収納トレーと、を備え、該吸液シート収納トレーは、前記トイレ本体の前方から引き出されて取り外し可能であり、且つ前後の位置が入れ替え可能であるペット用トイレ。
【００１３】
本発明によれば、吸液シート収納トレーはトイレ本体の前方から引き出されて取り外され、前後の位置を入れ替えてトイレ本体に収納できるようになっている。これによって、トレー内に配置された吸液シートの前後も入れ換わることになる。このため、猫等のペットの排尿状態によって片側のみに尿等の液体を吸収している吸液シートを吸液シート収納トレーから取り出すことなく簡単に前後方向を入れ替えて、液体を吸収していない部分を利用できることになり、吸液シートの使用期間を長くすることができる。
【００１４】
また、吸液シートを吸液シート収納トレーから取り出すことなく、吸液シートの前後を入れ替えできるので、すでに尿を吸収して湿って、重量が重くなり、しかも、剛性がなくなっている吸液シートを取り扱うという作業が不要なので、吸液シートを吸液シート収納トレーから取り出して前後を入れ替えて再びトレーに配置する際に起こりがちな捲れた状態での敷設で尿が漏れてしまうという不都合もなく、また、手を汚すおそれもなく衛生的である。
【００１５】
ここで、前後方向とは、吸液シート収納トレーを出し入れする方向を意味し、前方とは吸液シート収納トレーを引き出す側をいう。
【００１６】
（２）  前記吸液シート収納トレーは、前方および後方に取っ手を備える（１）記載のペット用トイレ。
【００１７】
本発明によると、前方および後方に取っ手を備えているので、吸液シート収納トレーを前後入れ替えて出し入れする際に、取っ手を持って行うことができ、出し入れを容易に行うことができる。取っ手としては、吸液シート収納トレーに固定されたものやひも状物が取り付けられている。また、板バネを取り付けてもよい。板バネにすることで、簡単に収納、引き出しが可能となる。
【００１８】
（３）  前記トイレ本体の後方部は、前記取っ手が当接する部分に開口部を有する（２）記載のペット用トイレ。
【００１９】
本発明によれば、トイレ本体に吸液シート収納トレーを押し入れた際に、吸液シート収納トレーは、後方の取っ手がトイレ本体の後方部に形成された開口部から後方に向けて突出した形で収納されることになる。このため、後方の取っ手に邪魔されることなく、吸液シート収納トレーを所定の位置に収めることができる。
【００２０】
（４）  前記吸液シート収納トレーは、前方に取り外し可能な取っ手を備える（１）に記載のペット用トイレ。
【００２１】
取っ手を取り外し可能なものとすることで、前後を入れ替えての出し入れが同じ取っ手で行うことができることになる。これによって、吸液シート収納トレーの前方および後方に固定された取っ手を取り付ける必要がないので、スッキリとした構造になる。また、トイレ本体に対して吸液シート収納トレーの納まりがよい。
【００２２】
（５）  前記吸液シート収納トレーは、外側トレーと、該外側トレーの中に収められた内側トレーと、を備える（１）記載のペット用トイレ。
【００２３】
本発明によれば、吸液シート収納トレーは、外側トレーの内部に内側トレーを備えた二重構造となっており、吸液シートは内側トレー内に配置されている。このため、吸液シート収納トレーの前後を入れ替えないで、内側トレーの前後を入れ替えることで、吸液シートの前後を入れ替えることができる。
【００２４】
（６）  前記吸液シート収納トレーは、前記吸液シートを固定する固定手段を備える（１）から（５）いずれか記載のペット用トイレ。
【００２５】
本発明によれば、吸液シートは、吸液シート収納トレーに固定手段で固定されているので、吸液シート収納トレーを頻繁に前後の入れ替えを行っても、トイレ本体に吸液シート収納トレーをセットする際の吸液シートの取り付け不良を防止することができる。
【００２６】
固定手段としては、吸液シートまたは吸液シート収納トレーの一方にフック状物を取り付け、もう一方にループ材を取り付け、フック状物をループ材に係合させる、いわゆるメカニカル係止や、吸液シート収納トレーに切り込みを設けて、この切り込みに吸液シートを押し込める方法等がある。
【００２７】
（７）  前記固定手段は、前記吸液シート収納トレーの内底面に設けられたメカニカル係止である（６）記載のペット用トイレ。
【００２８】
本発明によれば、固定手段が吸液シートまたは吸液シート収納トレーの一方にフック状物を取り付け、もう一方にループ材を取り付け、フック状物をループ材に係合させる、いわゆるメカニカル係止であるので、吸液シートの固定や取り外しがワンタッチで容易にできる。
【００２９】
（８）  前記固定手段は、前記吸液シート収納トレーの内底面に設けられ前記吸液シートを押し込み可能な切り込みである（６）記載のペット用トイレ。
【００３０】
本発明によれば、吸液シート収納トレーの内底面に設けられた切り込みに吸液シートの一部を押し込むことで吸液シートを固定できるので、吸液シートの固定や取り外しがワンタッチで容易にできる。尚、この切り込みは、例えばクロス状の切り込み等が挙げられるがこれに限定されるものではない。また、切り抜いた穴等も含むものとする。
【００３１】
（９）  前記トイレ本体は、前記吸液シート収納トレーの押し入れを所定の位置に規制するストッパーを備える（１）から（８）いずれか記載のペット用トイレ。
【００３２】
本発明によれば、吸液シート収納トレーはトイレ本体に押し入れされて、最適位置に収納されることになる。このため、吸液シートはペットが排泄する場所に位置されることになる。
【００３３】
（１０）  前記トイレ本体は、さらに前記トイレ砂収納容器の上方に側面カバーを備え、該側面カバーには前方から上方に亘って形成された開口を有するものである（１）から（９）いずれか記載のペット用トイレ。
【００３４】
本発明によれば、ペットは排泄の際にトイレ本体を構成する側面カバーに形成された開口の入り口から出入りすることになる。このため、例えば、開口の入り口にトイレ砂落し具を設置すると、ペットが排泄後トイレから出る際にペットの足指の股間やその周辺に付着したトイレ砂がこのトイレ砂落し具によって除去され、トイレ砂が部屋中に撒き散らされることを防止することができる。
【００３５】
（１１）  （１）から（１０）いずれか記載のペット用トイレを用いたペットの排泄物処理方法であって、前記吸液シート収納トレーの前後の位置を入れ替える手順を含むペットの排泄物処理方法。
【００３６】
本発明によれば、吸液シート収納トレーに配置された吸液シートを取り出さないで、吸液シートの前後を入れ替えできる。これによって、吸液シートの使用期間を長くすることができる。また、手を汚すことがないので、衛生的であり、不快感を感じることもない。
【発明の効果】
【００３７】
以上述べたように、本発明に係る動物用トイレによれば、吸液シートを配置した吸液シート収納トレーは、トイレ本体から引き出して、取り外しができ、さらに前後の位置を入れ替えできるので、内部に配置されている吸液シートの前後も入れ換わることになる。このため、猫等のペットの排尿状態によって、吸液シートの片側のみで尿等の液体を吸収していても、吸液シートを吸液シート収納トレーから取り出すことなく簡単に前後方向を入れ替えて、引き続き利用することができるので、吸液シートの使用期間を長くすることができる。
【発明を実施するための最良の形態】
【００３８】
以下、本発明の実施形態について図面を参照しながら説明する。尚、これによって本発明が限定されるものではない。
【００３９】
本発明において、「ペット」とは、犬、猫、ウサギ、ハムスター等の動物を意味する。また「トイレ砂」とは、球、回転楕円体、多面体からなる粒状物の集合体を意味し、耐水性シリカゲルを主原料とすることが好ましい。なお、「液体」とは、ペットから排泄されるものであって、本発明に係るトイレ砂を通過可能なすべての水分を含む。また「液通過」とは、液体がトイレ砂のある地点を通り過ぎることを意味する。従って、粒状物の周囲を伝っていく液が多いほど液通過性が良いことを意味する。
【００４０】
本実施形態の動物用トイレは、図１（Ａ）に示すように、トイレ本体１が、前方から上方に亘る開口１２１と、多数の粒状物から成るトイレ砂を貯留する箱状のトイレ砂収納容器１０と、トイレ砂収納容器１０の下方に位置し取り出し自在に組み込まれた吸液シートを収納する吸液シート収納トレー１１と、トイレ砂収納容器１０の上部に側面を覆うようにして設置された側面カバー１２とを主要素として構成されている。トイレ砂収納容器１０の底面部１０２は、複数の空孔１０３を有している。この空孔１０３は、多面体または円形であることが好ましく、トイレ砂１３が抜け落ちない大きさであることが好ましい。
【００４１】
また、図１（Ｂ）に示すように、トイレ砂収納容器１０の底面部１０２の上面には、トイレ砂１３を所定量敷いて層状に敷設する。また、吸液シート収納トレー１１内に、吸液シート１４を敷設する。
【００４２】
吸液シート収納トレー１１は、出し入れ方向（図中の矢印方向）を前後方向とした場合の前側と後側とが対称な形状の箱体あり、前壁１１１ａおよび後壁１１１ｂには、それぞれ取っ手１１２ａ、１１２ａ’が取り付けられている。また、トイレ砂収容容器１０の奥側（出し入れ方向の後方側）の側壁１０１には、吸液シート収納トレー１１を収納した場合に後側の取っ手１１２ａ’が後方にはみ出すことができる開口部１０４が形成されている（図２の（Ｃ）参照）。
【００４３】
吸液シート収納トレー１１は、上記のような形状となっているので、前壁１１１ａあるいは後壁１１１ｂのいずれを手前側にしても出し入れ可能となる。また、トイレ砂収納容器１０の側壁１０１は、収納された吸液シート収納トレー１１を停止させて、それ以上奥に押し入れられないようにする役目を果たしている。これによって、吸液シート収納トレー１１が最適位置にセットされることになる。
【００４４】
図２は、トイレ砂収容容器１０に吸液シート収納トレー１１を収納してセットした状態を示した図であり、図２（Ａ）の側面図に示すように、後側の取っ手１１２ａ’はトイレ砂収容容器１０から後方側の側壁に設けられた開口部１０４から後方にはみ出し、吸液シート収納トレー１１の奥側は、トイレ砂収容容器１０の側壁１０１に当設する形でトイレ砂収容容器１０の下方に納まっている。また、図２（Ｃ）の背面図に示すように、トイレ砂収納容器１０の側壁１０１には取っ手１１２ａ’がはみ出しできる大きさで開口部１０４が形成されている。
【００４５】
吸液シート収納トレー１１に取り付ける取っ手は、図１に示すような固定された取っ手１１２ａ、１１２ａ’に替えて、例えば図３に示すようなものであってもよい。図３（Ａ）に示す取っ手１１２ｂ、１１２ｂ’はひも状物であって、前壁１１１ａおよび後壁１１１ｂに取り付けられている。
【００４６】
また、図３（Ｂ）に示す取っ手１１２ｃは、一方端をほぼＬ字状の引っ掛け部分を形成したもので、この引っ掛け部分を前壁１１１ａおよび後壁１１１ｂに引っ掛けて引き出すことができるもので、前壁１１１ａおよび後壁１１１ｂに対して取り付け・取り外し可能となっている。これによって、吸液シート収納トレー１１を引き出す際には、手前側となる前壁１１１ａ、または前後を入れ替えた場合に手前側となる後壁１１１ｂに取っ手１１２ｃを取り付けて引き出すことができる。このため、前後を入れ替えても両方に取り付け可能である。
【００４７】
また、図３（Ｃ）に示す取っ手１１２ｄ、１１２ｄ’は、板バネであって、前壁１１１ａおよび後壁１１１ｂに取り付けられている。板バネにすることで、通常はコンパクトに納まっており、引き出す際にバネが伸びて手で持ち易い形状に変形することになり、簡単に収納、引出しができる。尚、図３（Ａ）は上から見た状態、図３（Ｂ）は横から見た状態、図３（Ｃ）は上から見た状態を示す。
【００４８】
また、吸液シート収納トレー１１には、吸液シート１４を固定するために、例えば図４に示すような固定手段を取り付けて、吸液シート１４を固定するのが好ましい。これによって、吸液シート１４を頻繁に前後方向を入れ替えても、吸液シート収納トレー１１に配置されている吸液シート１４の取り付け不良となるのを防止することができる。
【００４９】
図４は、吸液シート収納トレー１１に吸液シート１４を固定するための固定手段のバリエーションを示す図であって、図４（Ａ）は、吸液シート収納トレー１１の底部のほぼ四隅部分でほぼ左右対称となる位置にフック状物１１３を取り付けたものであり、図示していないが、吸液シート１４の裏面でフック状物１１３の位置に対応する位置に取り付けられたループ材と係合されて（メカニカル係止という）、吸液シート１４が固定されることになる。尚、吸液シート１４が不織布のような材質で構成されている場合には、不織布の表面の繊維質がループ材の役割を果たすことになるので好ましい。
【００５０】
また、図４（Ｂ）はフック状物１１３を吸液シート収納トレー１１の前壁１１１ａおよび後壁１１１ｂにほぼ左右対称となる位置に取り付けたものであり、図示していないが、吸液シート１４の裏面でフック状物１１３の位置に対応する位置に取り付けられたループ材とメカニカル係止されて、吸液シート１４が固定されることになる。この構造は、周縁部に吸収体を持たない吸液シートの場合、吸液シートの周縁部を折り曲げて、立てて固定できるので好ましい。
【００５１】
また、図４（Ｃ）は、吸液シート収納トレー１１の底部のほぼ四隅部分に×印の切り込み部１１５を設けたものであり、この切り込み部１１５に吸液シート１４を押し込むことで、吸液シート１４が固定されることになる。この切り込み部１１５は×印の切り込みに限定されるものでなく、さらに切り込み本数が多いものであってもよい。また、切り抜かれた穴であってもよい。尚、図４（Ａ）、図４（Ｂ）、図４（Ｃ）において、上段は平面図を、下段は側面図を示す。
【００５２】
前述の如く、トイレ砂収納容器１０の側壁１０１は、開口部１０４が形成され、取っ手１１２ａ’が後方にはみ出ることで、吸液シート収納トレー１１の後壁１１１ｂがトイレ砂収納容器１０の側壁１０１に当接して、吸液シート収納トレー１１がこれ以上奥に押し入れられないようになっている。すなわち、トイレ砂収納容器１０の側壁１０１が吸液シート収納トレー１１を停止させるためのストッパー手段となっている。このストッパー手段は、これに限定されるものでなく、例えば、図５に示すようなものであってもよい。
【００５３】
図５は、トイレ砂収納容器１０に吸液シート収納トレー１１を収納する際に、吸液シート収納トレー１１がこれ以上奥に押し入れられないに停止させるためのストッパー手段の別バリエーションを模式的に示す図であって、図５（Ａ）は、トイレ砂収納容器１０の側壁１０１に取っ手１１２ａ’を収納できる凹部１０７を設けたもので、取っ手１１２ａ’が凹部１０７に収納されることで、トイレ砂収納容器１０の側壁１０１に吸液シート収納トレー１１の後壁１１１ｂが当接して、吸液シート収納トレー１１がこれ以上奥に押し入れされないように停止させる構造となっている。この場合は、トイレ砂収納容器１０の側壁１０１がストッパーの役目を果たしている。
【００５４】
また、図５（Ｂ）は、トイレ砂収納容器１０の側壁１０１がストッパーの役割を果たし、側壁１０１に吸液シート収納トレー１１の後側取っ手１１２ａ’が当接して、吸液シート収納トレー１１がこれ以上奥に押し入れされないように停止させる構造となっている。この場合もトイレ砂収納容器１０の側壁１０１がストッパーの役目を果たしている。
【００５５】
また、図５（Ｃ）は、トイレ砂収納容器１０の側壁１０１の前方に吸液シート収納トレー１１が最適位置で停止するように、幅狭状の板状のストッパー１０５を出し入れ方向に平行する方向で後側の取っ手１１２ａ’の両側に設けたもので、これらストッパー１０５に吸液シート収納トレー１１の後壁１１１ｂが当接して、吸液シート収納トレー１１がこれ以上奥に押し入れされないように停止させる構造となっている。
【００５６】
また、図５（Ｄ）は、図５（Ｃ）のストッパー１０５を出し入れ方向にほぼ直交する方向で後側の取っ手１１２ａ’の両側に設けたもので、これらストッパー１０５に吸液シート収納トレー１１の後壁１１１ｂが当接して、吸液シート収納トレー１１がこれ以上奥に押し入れされないように停止させる構造となっている。
【００５７】
また、図５（Ｅ）は、図５（Ｃ）および（Ｄ）のストッパー１０５を丸棒状のものとしたもので、これらストッパー１０５に吸液シート収納トレー１１の後壁１１１ｂが当接して、吸液シート収納トレー１１がこれ以上奥に押し入れされないように停止させる構造となっている。
【００５８】
また、図５（Ｆ）は、吸液シート収納トレー１１の底部の裏面に突起１１６が形成されており、一方、トイレ砂収納容器１０の側壁１０１には、吸液シート収納トレー１１を出し入れ可能に開口されており、トイレ砂収納容器１０の底板１０６に前記突起１１６が嵌入可能な凹部１０８が形成されているもので、突起１１６が凹部１０８に嵌入して最適位置に吸液シート収納トレー１１が停止される構造となっている。この場合は、吸液シート収納トレー１１の底部の裏面に形成された突起１１６とトイレ砂収納容器１０の底板１０６に形成された凹部１０８とでストッパーの役目を果たしている。
【００５９】
ここで、最適位置と停止させるとは、吸液シート１４がトイレ砂収容容器１０のトイレ砂１３を通過した液体を確実に受け止めできる位置に収納されることを意味する。
【００６０】
以上の実施例では、吸液シート収納トレー１１として、その内部に吸液シート１４を直接に配置する構造のもので説明してきたが、図６（Ａ）に示すように、吸液シート収納トレー１１は、外側トレー１５の内部に図６（Ｂ）に示す内側トレー１６を備えた二重構造のものであってもよい。そして、内側トレー１６の内部に吸液シート１４が配置されている。これによって、吸液シート１４の前後の入れ替えは、吸液シート収納トレー１１の内側トレー１６の前後を入れ替えることで行うことができる。このため、吸液シート収納トレー１１は、前後を入れ替える必要がないので、一方からの出し入れで対応できることになる。
【図面の簡単な説明】
【００６１】
【図１】本発明のトイレの一実施形態を示す図である。
【図２】トイレ本体に吸液シート収納トレーを収納してセットした状態を示す図で、（Ａ）は側面図で、（Ｂ）は正面図で、（Ｃ）は背面図である。
【図３】取っ手のバリエーションを示す図である。
【図４】吸液シート収納トレーに吸液シートを固定するための固定手段のバリエーションを示す図である。
【図５】トイレ本体に吸液シート収納トレーを収納する際に、吸液シート収納トレーがこれ以上奥に押し入れられないに係止するためのストッパーの別バリエーションを模式的に示す図である。
【図６】吸液シート収納トレーの別の実施形態を示す図で、（Ａ）は吸液シート収納トレーの側面図で、（Ｂ）は内側トレーの側面図である。
【符号の説明】
【００６２】
１  トイレ本体
１０  トイレ砂収納容器
１１  吸液シート収納トレー
１２  側面カバー
１３  トイレ砂
１４  吸液シート
１５  外側トレー
１６  内側トレー
１０２  底面部
１０４  開口部
１０５  ストッパー
１１２ａ、１１２ａ’、１１２ｂ、１１２ｂ’、１１２ｃ、１１２ｄ、１１２ｄ’  取っ手
１１３  フック状物
１１５  切り込み部
１２１  開口
【図１】
0004447517.tif 000002
【図２】
0004447517.tif 000003
【図３】
0004447517.tif 000004
【図４】
0004447517.tif 000005
【図５】
0004447517.tif 000006
【図６】
0004447517.tif 000007